【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
所定の回線速度で符号化データを送信する送信装置と、前記送信装置から前記符号化データを受信し中継転送する中継装置と、前記中継装置から前記符号化データを受信し復号する受信装置とから構成される通信システムにおいて、
前記送信装置は、
送信ビット列を符号化して前記符号化データを生成する符号化手段と、
生成された前記符号化データのビット列中から所定の割合で抽出した抽出ビットをフレーム後方に再配置する再配置手段と、
再配置された前記符号化データを前記中継装置に送信する送信手段と、を具備し、
前記中継装置は、
中継する前記送信装置の回線速度情報を符号化し、受信した前記符号化データに付加する選択回線速度情報符号化手段と、
中継先となる前記受信装置の回線速度が、前記送信装置の回線速度より速いとき、前記回線速度情報が付加された符号化データにパディングを行ってから前記受信装置に送信し、前記送信装置の回線速度より遅いとき、前記回線速度情報が付加された符号化データのフレーム後方の前記抽出ビットの一部または全部をパンクチャリングしてから前記受信装置に送信する回線速度差調整手段と、を具備し、
前記受信装置は、
前記中継装置から受信した前記符号化データ内の前記回線速度情報と自装置の回線速度情報とを比較し、前記送信装置の回線速度情報の方が遅いとき、受信した前記符号化データの中から前記パディングされたビットを除去した後でビット列を前記再配置前の元の位置に復元し、前記送信装置の回線速度情報の方が速いか同じとき、受信した前記符号化データのビット列を前記再配置前の元の位置に復元するビット列復元手段と、
復元されたビット列に応じたデパンクチャリングを行うデパンクチャ手段と、
前記デパンクチャリングされた前記符号化データを復号する復号手段と、を具備する、
通信システム。
【請求項２】
前記受信装置は、復号されたビット列の誤りの有無を検出する誤り検出手段をさらに具備し、
前記ビット列復元手段は、前記復号されたビット列に誤りがないと検出された場合、該当フレームにおけるビット列の復元を停止する、
請求項１に記載の通信システム。
【請求項３】
所定の回線速度で符号化データを送信する送信装置と、前記送信装置から前記符号化データを受信し中継転送する中継装置と、前記中継装置から前記符号化データを受信し復号する受信装置とから構成される通信システムにおける通信方法であって、
前記送信装置は、
送信ビット列を符号化して前記符号化データを生成し、
生成された前記符号化データのビット列中から所定の割合で抽出した抽出ビットをフレーム後方に再配置し、
再配置された前記符号化データを前記中継装置に送信し、
前記中継装置は、
中継する前記送信装置の回線速度情報を符号化し、受信した前記符号化データに付加し、
中継先となる前記受信装置の回線速度が、前記送信装置の回線速度より速いとき、前記回線速度情報が付加された符号化データにパディングを行ってから前記受信装置に送信し、前記送信装置の回線速度より遅いとき、前記回線速度情報が付加された符号化データのフレーム後方の前記抽出ビットの一部または全部をパンクチャリングしてから前記受信装置に送信し、
前記受信装置は、
前記中継装置から受信した前記符号化データ内の前記回線速度情報と自装置の回線速度情報とを比較し、前記送信装置の回線速度情報の方が遅いとき、受信した前記符号化データの中から前記パディングされたビットを除去した後でビット列を前記再配置前の元の位置に復元し、前記送信装置の回線速度情報の方が速いか同じとき、受信した前記符号化データのビット列を前記再配置前の元の位置に復元し、
復元されたビット列に応じたデパンクチャリングを行い、
前記デパンクチャリングされた前記符号化データを復号する通信方法。
【請求項４】
前記受信装置は、復号されたビット列の誤りの有無を検出し、前記復号されたビット列に誤りがないと検出された場合、該当フレームにおけるビット列の復元を停止する、
請求項３に記載の通信方法。
【請求項５】
回線速度の異なる送信装置を含む複数の送信装置のうち、中継する送信装置を選択する回線選択手段と、
選択した前記送信装置から、所定ビットがフレーム後方に再配置された符号化データを、送信データとして受信する受信手段と、
選択した前記送信装置の回線速度情報を符号化し、受信した前記符号化データに付加する選択回線速度情報符号化手段と、
回線速度の異なる受信装置を含む複数の受信装置のうち、中継先となる受信装置の回線速度が、選択された前記送信装置の回線速度より速いとき、前記回線速度情報が付加された前記符号化データにパディングを行ってから前記受信装置に送信し、前記送信装置の回線速度より遅いとき、前記回線速度情報が付加された前記符号化データのフレーム後方の前記所定ビットの一部または全部をパンクチャリングしてから前記受信装置に送信する回線速度差調整手段と、
を具備する中継装置。
【請求項６】
所定ビットがフレーム後方に再配置されるとともに送信装置の回線速度情報が付加された符号化データを、中継装置から受信する受信手段と、
前記回線速度情報と自装置の回線速度情報とを比較し、前記送信装置の前記回線速度情報の方が遅いとき、受信した前記符号化データの中から前記中継装置によってパディングされたビットを除去した後でビット列を前記再配置前の元の位置に復元し、前記送信装置の前記回線速度情報の方が速いか同じとき、受信した前記符号化データのビット列を前記再配置前の元の位置に復元するビット列復元手段と、
復元されたビット列に応じたデパンクチャリングを行うデパンクチャ手段と、
前記デパンクチャリングされた前記符号化データを復号する復号手段と、
を具備する受信装置。
【手続補正２】
【補正対象書類名】明細書
【補正対象項目名】０００７
【補正方法】変更
【補正の内容】
【０００７】
本発明の通信システムは、所定の回線速度で符号化データを送信する送信装置と、前記送信装置から前記符号化データを受信し中継転送する中継装置と、前記中継装置から前記符号化データを受信し復号する受信装置とから構成される通信システムにおいて、前記送信装置は、送信ビット列を符号化して前記符号化データを生成する符号化手段と、生成された前記符号化データのビット列中から所定の割合で抽出した抽出ビットをフレーム後方に再配置する再配置手段と、再配置された前記符号化データを前記中継装置に送信する送信手段と、を具備し、前記中継装置は、中継する前記送信装置の回線速度情報を符号化し、受信した前記符号化データに付加する選択回線速度情報符号化手段と、中継先となる前記受信装置の回線速度が、前記送信装置の回線速度より速いとき、前記回線速度情報が付加された符号化データにパディングを行ってから前記受信装置に送信し、前記送信装置の回線速度より遅いとき、前記回線速度情報が付加された符号化データのフレーム後方の前記抽出ビットの一部または全部をパンクチャリングしてから前記受信装置に送信する回線速度差調整手段と、を具備し、前記受信装置は、前記中継装置から受信した前記符号化データ内の前記回線速度情報と自装置の回線速度情報とを比較し、前記送信装置の回線速度情報の方が遅いとき、受信した前記符号化データの中から前記パディングされたビットを除去した後でビット列を前記再配置前の元の位置に復元し、前記送信装置の回線速度情報の方が速いか同じとき、受信した前記符号化データのビット列を前記再配置前の元の位置に復元するビット列復元手段と、復元されたビット列に応じたデパンクチャリングを行うデパンクチャ手段と、前記デパンクチャリングされた前記符号化データを復号する復号手段と、を具備する、構成を採る。
【手続補正３】
【補正対象書類名】明細書
【補正対象項目名】０００８
【補正方法】変更
【補正の内容】
【０００８】
本発明の通信方法は、所定の回線速度で符号化データを送信する送信装置と、前記送信装置から前記符号化データを受信し中継転送する中継装置と、前記中継装置から前記符号化データを受信し復号する受信装置とから構成される通信システムにおける通信方法であって、前記送信装置は、送信ビット列を符号化して符号化データを生成し、生成された前記符号化データのビット列中から所定の割合で抽出した抽出ビットをフレーム後方に再配置し、再配置された前記符号化データを前記中継装置に送信し、前記中継装置は、中継する前記送信装置の回線速度情報を符号化し、受信した前記符号化データに付加し、中継先となる前記受信装置の回線速度が、前記送信装置の回線速度より速いとき、前記回線速度情報が付加された符号化データにパディングを行ってから前記受信装置に送信し、前記送信装置の回線速度より遅いとき、前記回線速度情報が付加された符号化データのフレーム後方の前記抽出ビットの一部または全部をパンクチャリングしてから前記受信装置に送信し、前記受信装置は、前記中継装置から受信した前記符号化データ内の前記回線速度情報と自装置の回線速度情報とを比較し、前記送信装置の回線速度情報の方が遅いとき、受信した前記符号化データの中から前記パディングされたビットを除去した後でビット列を前記再配置前の元の位置に復元し、前記送信装置の回線速度情報の方が速いか同じとき、受信した前記符号化データのビット列を前記再配置前の元の位置に復元し、復元されたビット列に応じたデパンクチャリングを行い、前記デパンクチャリングされた前記符号化データを復号するようにした。
本発明の中継装置は、回線速度の異なる送信装置を含む複数の送信装置のうち、中継する送信装置を選択する回線選択手段と、選択した前記送信装置から、所定ビットがフレーム後方に再配置された符号化データを、送信データとして受信する受信手段と、選択した前記送信装置の回線速度情報を符号化し、受信した前記符号化データに付加する選択回線速度情報符号化手段と、回線速度の異なる受信装置を含む複数の受信装置のうち、中継先となる受信装置の回線速度が、選択された前記送信装置の回線速度より速いとき、前記回線速度情報が付加された前記符号化データにパディングを行ってから前記受信装置に送信し、前記送信装置の回線速度より遅いとき、前記回線速度情報が付加された前記符号化データのフレーム後方の前記所定ビットの一部または全部をパンクチャリングしてから前記受信装置に送信する回線速度差調整手段と、を具備する構成を採る。
本発明の受信装置は、所定ビットがフレーム後方に再配置されるとともに送信装置の回線速度情報が付加された符号化データを、中継装置から受信する受信手段と、前記回線速度情報と自装置の回線速度情報とを比較し、前記送信装置の前記回線速度情報の方が遅いとき、受信した前記符号化データの中から前記中継装置によってパディングされたビットを除去した後でビット列を前記再配置前の元の位置に復元し、前記送信装置の前記回線速度情報の方が速いか同じとき、受信した前記符号化データのビット列を前記再配置前の元の位置に復元するビット列復元手段と、復元されたビット列に応じたデパンクチャリングを行うデパンクチャ手段と、前記デパンクチャリングされた前記符号化データを復号する復号手段と、を具備する構成を採る。